(57)【特許請求の範囲】
【請求項１】
外気に接する表地と、人体側に配される裏地との間に保温層を設けた衣服において、雨などの外部からの水分を遮断し汗などの内部からの湿気を通気する透湿膜を前記表地や表地裏面に沿設せず、前記透湿膜を前記保温層間に介存配設して、前記表地の裏面側の表側保温層の裏面側に前記透湿膜を配設すると共にこの透湿膜の裏面側に裏側保温層を配設し、この裏側保温層の裏面側に裏地を配設し、前記透湿膜を表地と裏地との中間位置より裏地に近い裏地寄り位置に配設して、たとえ外気が氷点下以下となっても凍結しにくいように構成したことを特徴とする防寒衣服。
【請求項２】
表地の裏面側に表側保温層を配設し、この表側保温層の裏面側に雨などの外部からの水分を遮断し汗などの内部からの湿気を通気する透湿膜を配設し、この透湿膜の裏面側に裏側保温層を配設し、この裏側保温層の裏面側に裏地を配設して、たとえ外気が氷点下となっても凍結しない裏地寄り位置であって、且つできるだけ表地寄り位置に前記透湿膜を配設したことを特徴とする請求項１記載の防寒衣服。
【請求項３】
前記表地の表面に撥水加工を施したことを特徴とする請求項１，２のいずれか１項に記載の防寒衣服。
【発明の詳細な説明】
【０００１】
【発明の属する技術分野】
本発明は、気温が氷点下となる地域で使用する防寒衣服に関するものである。
【０００２】
【従来の技術及び発明が解決しようとする課題】
従来から使用されている防寒衣服は、外気に接する表地と、人体側に配される裏地との間に保温性を向上させるための厚めの保温層を設けているもので、保温性の向上に伴う発汗への対処手段としてこの表地に雨などの外部からの水分を遮断し汗などの内部からの湿気を通気する透湿膜を設けて構成している。
【０００３】
しかしながら、真冬の気温が氷点下５０度にもなる南極地方やシベリア地方などの極寒地域でこの防寒衣服を使用した場合には、表地に設けた透湿膜が汗などの湿気が結露することにより凍結してしまい、その結果この透湿膜が凍結水分に塞がれて通気作用を全く果たせなくなり、また、この透湿膜上の凍結水分により徐々に保温力が失われてしまうという問題があった。
【０００４】
本発明は、このような問題を見い出し、前記のような極寒地域での使用に際しても通気作用が良好に行われる画期的な防寒衣服を提供するものである。
【０００５】
【課題を解決するための手段】
添付図面を参照して本発明の要旨を説明する。
【０００６】
外気に接する表地１と、人体側に配される裏地２との間に保温層４を設けた衣服において、雨などの外部からの水分を遮断し汗などの内部からの湿気を通気する透湿膜３を前記表地１や表地１裏面に沿設せず、前記透湿膜３を前記保温層４間に介存配設して、前記表地１の裏面側の表側保温層４ａの裏面側に前記透湿膜３を配設すると共にこの透湿膜３の裏面側に裏側保温層４ｂを配設し、この裏側保温層４ｂの裏面側に裏地２を配設し、前記透湿膜３を表地１と裏地２との中間位置より裏地２に近い裏地寄り位置に配設して、たとえ外気が氷点下以下となっても凍結しにくいように構成したことを特徴とする防寒衣服に係るものである。
【０００７】
また、表地１の裏面側に表側保温層４ａを配設し、この表側保温層４ａの裏面側に雨などの外部からの水分を遮断し汗などの内部からの湿気を通気する透湿膜３を配設し、この透湿膜３の裏面側に裏側保温層４ｂを配設し、この裏側保温層４ｂの裏面側に裏地２を配設して、たとえ外気が氷点下となっても凍結しない裏地２寄り位置であって、且つできるだけ表地１寄り位置に前記透湿膜３を配設したことを特徴とする請求項１記載の防寒衣服に係るものである。
【０００８】
また、前記表地１の表面に撥水加工を施したことを特徴とする請求項１，２のいずれか１項に記載の防寒衣服に係るものである。
【０００９】
【発明の実施の形態】
好適と考える本発明の実施の形態（発明をどのように実施するか）を、図面に基づいてその作用効果を示して簡単に説明する。
【００１０】
本発明品を着用した着用者が発汗すると、この発汗による湿気が裏地２、透湿膜３の裏側の保温層４を介してこの透湿膜３より表側の保温層４へ通気される。
【００１１】
この際、外気が氷点下以下となっても凍結しにくい保温層４を介した裏地２寄り位置若しくは外気が氷点下となっても凍結しない裏地２寄り位置であって、且つできるだけ表地１寄り位置に透湿膜３を配設しているため、例えば南極地方やシベリア地方などの極寒地域で本発明品を着用した場合においても、透湿膜３が湿気などが結露することにより凍結することがなく、この透湿膜３による通気作用が良好に行われることとなる。
【００１２】
また、透湿膜３表面上で水分が凍結することがないから、従来例のように透湿膜３表面上の凍結水分により保温性が損なわれるようなこともなく、極めて良好な保温性を得られることとなる。
【００１３】
また、請求項３記載の発明においては、表地１表面で湿気などの水分が凍結することがなく、一層良好な保温性が得られることとなる。
【００１４】
【実施例】
本発明の具体的な実施例について図面に基づいて説明する。
【００１５】
表地１の裏面側に表側保温層４ａを配設し、この表側保温層４ａの裏面側に雨などの外部からの水分を遮断し汗などの内部からの湿気を通気する透湿膜３を配設し、この透湿膜３の裏面側に裏側保温層４ｂを配設し、この裏側保温層４ｂの裏面側に裏地２を配設している。
【００１６】
表地１は、極寒時のペーパー化現象を考慮し、高強力ナイロンオックスを使用して凍結による引き裂き現象に耐え得るように構成している。また、表面に撥水加工を施し、この表地１の表面上での水分の凍結を防止している。
【００１７】
裏地２は、ナイロンにステンレスを真空状態で付設させた蓄熱、帯電防止効果を有する特殊素材を使用して構成している。
【００１８】
透湿膜３は、車両用のエアバックの構成素材として採用されている高強力ナイロン素材（４０デニール糸）を使用して構成している。
【００１９】
また、この透湿膜３は、雨水などの防水性を配慮してできるだけ保温層４の表地１寄りに配設したい。しかし、透湿膜３の凍結を防止するために裏地２寄りに配設して構成する。従って、例えば氷点下１０度前後の気温下で使用するものにおいては、裏地２寄り位置であって且つ透湿膜３が凍結しないできるだけ表地１寄り位置に透湿膜３を配設し、氷点下５０度前後にもなる極寒地域で使用するものにおいては、これよりも更に裏地２寄り位置に透湿膜３を配設して構成するなど、使用下の気温が低ければ低いほど透湿膜３は裏地２寄りに配設せざるを得ないものであって、この透湿膜３の保温層４への配設位置については使用地域の気温などを考慮して決定する。
【００２０】
また、特に気温が氷点下５０度前後の極寒地域においては、透湿膜３の凍結を防止するために透湿膜３を裏地２寄りに配設せざるを得ないが、このような地域では雨水などの水分はほとんど存在せず（仮にあったとしても即凍結する）、防水作用は不要となるため、この防水作用のための透湿膜３がかなり裏地２寄りに位置していても実用性が損なわれることはない。
【００２１】
表側保温層４ａ，裏側保温層４ｂは、ダウン９０パーセントに耐久性を持たせるためのフェザー１０パーセントを混入して構成している。
【００２２】
また、この表側保温層４ａは、保温層４ａ'と保温層４ａ"とで構成し、表地１側に配される保温層４ａ"を、前記透湿膜３より通気された湿気がこの表側保温層４ａを介して表地１へ付着することを考慮し、シンサレートを４０グラム使用して構成している。
【００２３】
また、本実施例では、この表側保温層４ａ，裏側保温層４ｂで構成される保温層４が良好な保温作用を果たすだけでなく、着用時の運動性が損なわれることのないようにこの表側保温層４ａ，裏側保温層４ｂの厚さや使用量（重さ）を設定している。
【００２４】
従って、本実施例では上記のように構成しているから、極寒地域での使用に際しても常温通りの透湿効果を発揮し得、これにより良好な保温性も得られることとなり、また、着用時の運動性にも秀れる防寒衣服となる。
【００２５】
【発明の効果】
本発明は上述のように構成したから、例えば南極地方やシベリア地方などの極寒地域で本発明品を着用した場合においても、透湿膜が湿気などが結露することにより凍結することがなく、この透湿膜による通気作用が良好に行われることとなる上に、透湿膜表面上で水分が凍結することがないから、従来例のように透湿膜表面上の凍結水分により保温性が損なわれるようなこともなく、極めて良好な保温性を得られることとなる秀れた防寒衣服となる。
【００２６】
また、たとえ外気が氷点下となっても凍結しない裏地寄り位置であって、且つできるだけ表地寄り位置に前記透湿膜を配設しているから、それほど気温の下がることのない地域で使用するものに関してはこの透湿膜をできるだけ表地寄りに配設して雨水などの良好な防水作用を発揮し得るように構成できるし、且つ前記のような極寒地域で使用するものに関しては水分はほとんど存在せず、防水作用のための透湿膜が裏地寄りに位置しても実用性が損なわれることがないため、この透湿膜を裏地寄りに配設して良好な通気作用を発揮し得るように構成できる極めて秀れた構成の画期的な防寒衣服となる。
【００２７】
また、請求項３記載の発明においては、表地表面で湿気などの水分が凍結することがなく、一層良好な保温性が得られる秀れた防寒衣服となる。
【図面の簡単な説明】
【図１】本実施例の外観正面図である。
【図２】本実施例の外観背面図である。
【図３】本実施例の説明拡大断面図である。
【符号の説明】
１  表地
２  裏地
３  透湿膜
４  保温層
４ａ  表側保温層
４ｂ  裏側保温層
【図１】
0003634050.tif 000002
【図２】
0003634050.tif 000003
【図３】
0003634050.tif 000004